(57)【要約】      （修正有）【課題】ファスナー付き袋を提供する。【解決手段】袋本体と、袋本体の開口における少なくとも２つの平行するファスナーチェーンとを含む。各ファスナーチェーンは、咬合端を有するオスチェーンと、咬合溝２２１を有するメスチェーン２２とを含み、一本のファスナーチェーンのうち、メスチェーンにおける咬合溝には複数の咬合孔２２２が設けられ、複数の咬合孔が咬合溝の長さ方向に沿って配置しており、当該ファスナーチェーンのうち、オスチェーンの咬合端には複数の咬合凸部が設けられ、当該複数の咬合凸部はそれぞれ咬合溝における複数の咬合孔に対応し、咬合凸部が咬合孔に咬合し、オスチェーンの咬合端がメスチェーンの咬合溝に咬合する動作が一時的に中断して振動が発生する。本考案は、ファスナーチェーンにおいて、咬合凸部と咬合孔を設けることで、ファスナーの咬合過程において振動を生じさせる。これにより、ファスナーの咬合が完全であるか否かをより容易に確認することができる。【選択図】図４
0003208363.tif 000002
【実用新案登録請求の範囲】
【請求項１】
袋本体と、袋本体の開口における少なくとも二本の平行するファスナーチェーンとを備え、各ファスナーチェーンが、咬合端を有するオスチェーンと、咬合溝を有するメスチェーンとを含むファスナー付き袋であって、
一本のファスナーチェーンのうち、メスチェーンにおける咬合溝には、複数の咬合孔が設けられ、前記複数の咬合孔が咬合溝の長さ方向に沿って配置し、当該ファスナーチェーンのうち、オスチェーンの咬合端には、複数の咬合凸部が設けられ、前記複数の咬合凸部はそれぞれ、前記咬合溝における複数の咬合孔に対応しており、前記咬合凸部が、前記咬合孔に咬合し、前記オスチェーンの咬合端が、前記メスチェーンの咬合溝に咬合する動作が一時的に中断して振動が発生する、ファスナー付き袋。
【請求項２】
前記袋本体の開口において、二本のファスナーチェーンが設けられ、メスチェーンに咬合孔が設けられかつオスチェーンに咬合凸部が設けられた一方のファスナーチェーンは、他方のファスナーチェーンの上に設けられていることを特徴とする、請求項１に記載のファスナー付き袋。
【請求項３】
前記袋本体の開口には、三本のファスナーチェーンが設けられ、メスチェーンに咬合孔が設けられかつオスチェーンに咬合凸部が設けられたファスナーチェーンは、最も上、又は中間に設けられていることを特徴とする、請求項１に記載のファスナー付き袋。
【請求項４】
前記メスチェーンにおける咬合孔と、前記オスチェーンにおける咬合凸部とは、二本の平行するプレスシートが、前記メスチェーンの配置された袋本体の外側から、ファスナーチェーンの方向へプレスすることによって形成されていることを特徴とする、請求項１から３のいずれか一項に記載のファスナー付き袋。
【請求項５】
前記プレスシートがファスナーチェーンに対して垂直であることを特徴とする、請求項４に記載のファスナー付き袋。
【請求項６】
前記咬合孔がメスチェーンにおいて均一に配置されており、前記咬合凸部がオスチェーンにおいて均一に配置されていることを特徴とする、請求項１から３のいずれか一項に記載のファスナー付き袋。
【請求項７】
前記複数の咬合孔の間における間隔は４．８ｍｍ〜５．７ｍｍであることを特徴とする、請求項６に記載のファスナー付き袋。
【請求項８】
前記咬合孔は、ファスナーの長さ方向において、１．４０ｍｍ〜１．５５ｍｍの長さを有することを特徴とする、請求項１に記載のファスナー付き袋。
【請求項９】
最も上のファスナーチェーンと、最も下のファスナーチェーンとの間の距離は、１５ｍｍより小さいことを特徴とする、請求項１に記載のファスナー付き袋。
【請求項１０】
最も上のファスナーチェーンの上における袋本体内の片側には、第１の凸条が設けられ、当該第１の凸条がファスナーチェーンと平行しており、前記最も上のファスナーチェーンの上の袋本体の外側には、第２の凸条が設けられ、当該第２の凸条がファスナーチェーンと平行することを特徴とする、請求項１に記載のファスナー付き袋。
【考案の詳細な説明】
【技術分野】
【０００１】
本考案は、袋の技術分野に属し、特に、ファスナー付き袋に関する。
【背景技術】
【０００２】
普段の生活では、プラスチック袋がよく使用されている。プラスチック袋の開口を密封させることにより、袋内の品物に対して、鮮度の保存、湿気及び酸化の防止などが実現可能である。現在、各種のプラスチック袋の開口を封止させる装置としては、主にプラスチック製のクリップやファスナー等が挙げられる。
【０００３】
ファスナー付きの袋は、簡単に使用可能で、密封の効果が比較的優れているため、幅広く使用されている。図１は、従来のファスナー付きの袋を示す構造模式図であり、当該ファスナー付き袋１０は、２枚の袋体１２を対向させて接着することにより形成され、開口端１５を有する。そのうち、一方の袋体１２の内側壁面において、開口端１５の近くにシート状のメスチェーン１３が設けられ、メスチェーン１３の内部において、咬合溝１４が形成されている。他方の袋体１２の内側壁において、開口端１５の近くに、メスチェーン１３と対応するシート状のオスチェーン１６が設けられている。オスチェーン１６の両側において、凸円弧状の咬合端１７が形成されている。ファスナー付き袋１０の開口端１５が、咬合して密閉する場合には、オスチェーン１６が、メスチェーン１３の咬合溝１４に咬合することになる。
【０００４】
しかしながら、上記ファスナー付き袋のオスチェーン１６とメスチェーン１３とはいずれも、フレキシブルで細長いシート状であり、咬合過程において、オスチェーン１６とメスチェーン１３とが相対的にずれることにより、両者が咬合しなくなる。こういった過程において、使用者は、ファスナーが咬合していないことに気づかないため、ファスナー付き袋内に保存された品物が腐敗してしまう。
【考案の概要】
【考案が解決しようとする課題】
【０００５】
上記ファスナー付き袋の咬合過程において、ファスナーが完全に咬合しているか否かを検知することができない問題を解決するために、本考案は、新規のファスナー付き袋を提供することを目的としている。
【課題を解決するための手段】
【０００６】
上記技術的課題を解決するために、本考案は下記の技術的手段を採用している。
【０００７】
本考案は、ファスナー付き袋を提供し、当該ファスナー付き袋は、袋本体と、袋本体の開口における少なくとも２つの平行するファスナーチェーンとを備え、各ファスナーチェーンが、咬合端を有するオスチェーンと、咬合溝を有するメスチェーンとを含み、
一本のファスナーチェーンのうち、メスチェーンにおける咬合溝には、複数の咬合孔が設けられ、前記複数の咬合孔が咬合溝の長さ方向に沿って配置し、当該ファスナーチェーンのうち、オスチェーンの咬合端には、複数の咬合凸部が設けられ、前記複数の咬合凸部はそれぞれ、前記咬合溝における複数の咬合孔に対応しており、前記咬合凸部が、前記咬合孔に咬合し、前記オスチェーンの咬合端が、前記メスチェーンの咬合溝に咬合する動作が一時的に中断して振動が発生する。
【０００８】
本考案にかかるファスナー付き袋において、前記袋本体の開口において、二本のファスナーチェーンが設けられ、メスチェーンに咬合孔が設けられかつオスチェーンに咬合凸部が設けられた一方のファスナーチェーンは、他方のファスナーチェーンの上に設けられている。
【０００９】
本考案にかかるファスナー付き袋において、前記袋本体の開口には、三本のファスナーチェーンが設けられ、メスチェーンに咬合孔が設けられかつオスチェーンに咬合凸部が設けられたファスナーチェーンは、最も上、又は中間に設けられている。
【００１０】
本考案にかかるファスナー付き袋において、前記メスチェーンにおける咬合孔と、前記オスチェーンにおける咬合凸部とは、二本の平行するプレスシートが、前記メスチェーンの配置された袋本体の外側から、ファスナーチェーンの方向 へプレスすることによって形成されている。
【００１１】
本考案にかかるファスナー付き袋において、前記プレスシートがファスナーチェーンに対して垂直である。
【００１２】
本考案にかかるファスナー付き袋において、前記咬合孔がメスチェーンにおいて均一に配置されており、前記咬合凸部がオスチェーンにおいて均一に配置されている。
【００１３】
本考案にかかるファスナー付き袋において、前記複数の咬合孔の間における間隔は４．８ｍｍ〜５．７ｍｍである。
【００１４】
本考案にかかるファスナー付き袋において、前記咬合孔は、ファスナーの長さ方向において、１．４０ｍｍ〜１．５５ｍｍの長さを有する。
【００１５】
本考案にかかるファスナー付き袋において、最も上のファスナーチェーンと、最も下のファスナーチェーンとの間の距離は、１５ｍｍより小さい。
【００１６】
本考案にかかるファスナー付き袋において、最も上のファスナーチェーンの上における袋本体内の片側には、第１の凸条が設けられ、当該第１の凸条がファスナーチェーンと平行しており、前記最も上のファスナーチェーンの上の袋本体の外側には、第２の凸条が設けられ、当該第２の凸条がファスナーチェーンと平行する。
【００１７】
本考案にかかるファスナー付き袋は、一方のファスナーチェーンにおけるオスチェーンとメスチェーンとのそれぞれにおいて、咬合凸部と咬合孔とを設けることにより、オスチェーンとメスチェーンとが完全に咬合することになれば、振動が発生する。これにより、咬合過程において、使用者は、ファスナー付き袋は、完全に咬合しているか否かを感知することが可能である。
【図面の簡単な説明】
【００１８】
【図１】従来の袋を示す構造模式図である。
【図２】本考案にかかるファスナー付き袋の実施例を示す模式図である。
【図３】図２のファスナーを示す構造模式図である。
【図４】咬合孔を有するメスチェーンを示す模式図である。
【図５】咬合凸部を有するオスチェーンを示す模式図である。
【図６】咬合孔及び咬合凸部の成型を示す模式図である。
【考案を実施するための形態】
【００１９】
本考案の技術的手段をより明確に記述するために、以下、図面及び実施例を参照し、本考案の技術的手段についてより詳細に説明する。下記の実施例は、本考案を示す例示に過ぎない。当業者が創作的労力を働かない前提において、これらの実施例に基づいて得られた他の実施例は、本考案に含まれる。
【００２０】
図２から図５は、本考案にかかるファスナー付き袋の実施例を示す模式図である。本考案にかかるファスナー付きの袋は、袋本体３０と、少なくとも２つのファスナーチェーン２０とを含み、少なくとも２つのファスナーチェーン２０は、袋本体３０の先端開口に位置し、少なくとも２つのファスナーチェーン２０が平行に設けられている。各ファスナーチェーン２０は、咬合端２１１を有するオスチェーン２１と、咬合溝２２１を有するメスチェーン２２から構成され、オスチェーン２１とメスチェーン２２とはそれぞれ、袋本体３０の両側内壁に配置されている。袋本体３０の開口外における両側（即ち、オスチェーン２１とメスチェーン２２との外側）を押圧することにより、オスチェーン２１の咬合端２１１を、メスチェーン２２の咬合溝２２１内に咬合させることができる。これにより、図３に示すように、袋本体３０の密封が実現される。袋本体３０が密封された後、袋本体３０の開口における両側を引っ張ることにより、オスチェーン２１の咬合端２１１が、メスチェーン２２の咬合溝２２１から離脱することで、袋本体３０が開放されることになる。
【００２１】
密閉効果を保証するために、２本のファスナーチェーン２０のうち、オスチェーン２１と、メスチェーン２２とが逆に設けられることができる。即ち、袋本体３０の一方側の内壁には、１本のオスチェーン２１と１本のメスチェーン２２とがそれぞれ設けられており、他方側の内壁には、１本のメスチェーン２２と１本のオスチェーン２１とが対応して設けられている。
【００２２】
本実施例では、少なくとも２本のファスナーチェーン２０のうち、１本のファスナーチェーン２０のメスチェーン２２の咬合溝２２１には、複数の咬合孔２２２が設けられ、当該複数の咬合孔２２２が、咬合溝２２１の長さ方向に沿って配置している。ファスナーチェーン２０のオスチェーン２１の咬合端２１１には、複数の咬合凸部２１２が設けられ、当該複数の咬合凸部２１２はそれぞれ、咬合溝２２１における複数の咬合孔２２２と対応している。オスチェーン２１の咬合端２１１が、メスチェーン２２の咬合溝２２１に咬合した場合には、咬合凸部２１２が、咬合孔２２２に咬合することになり、オスチェーン２１の咬合端２１１がメスチェーン２２の咬合溝２２１に咬合する動作が一時的に中断して振動を発生させ、発生した振動は使用者の指に伝わる。オスチェーン２１の咬合端２１１と咬合凸部２１２が、メスチェーン２２の咬合溝２２１と咬合孔２２２に咬合していない場合には、振動が発生しない。よって、使用者は、指に振動が伝わっているか否かを通じてファスナーチェーン２０が完全に咬合しているか否かを確認可能である。
【００２３】
袋本体３０の開口における密封効果に影響を与えないために、袋本体３０の開口において、２本のファスナーチェーン２０が設けられている場合には、メスチェーン２２に咬合孔２２２が設けられオスチェーン２１に咬合凸部２１２が設けられた一方のファスナーチェーン２０は、他方のファスナーチェーンの上に位置する。袋本体３０の開口において、３本のファスナーチェーン２０が設けられている場合には、メスチェーン２２に咬合孔２２２が設けられオスチェーン２１に咬合凸部２１２が設けられたファスナーチェーン２０は、最も上又は中間に位置する。これによって、仮に咬合凸部２１２と咬合孔２２２とにおいて空気が漏れたとしても、最も下におけるファスナーチェーンは有効な密閉を保証可能である。
【００２４】
特に、上記咬合孔２２２は、メスチェーン２２において均一に分布している。これに対応して、咬合凸部２１２は、オスチェーン２１において均一に分布している。これにより、ファスナーチェーン２０が咬合していく過程において、指に規律的な振動が伝わった場合には、ファスナーチェーン２０が完全に咬合していることを確認可能である。
【００２５】
複数のファスナーチェーン２０が同時に完全に咬合することを確保するために、最も上におけるファスナーチェーン２０と、最も下におけるファスナーチェーン２０との間隔は１５ｍｍより小さいことが好ましい。これにより、指が、全てのファスナーチェーン２０に対して同時に力を加えることが可能である。さらに、複数のファスナーチェーン２０が平行に設けられているため、咬合凸部２１２と咬合孔２２２とを有するファスナーチェーン２０が完全に咬合することになれば、他のファスナーチェーン２０が完全に咬合することになる。その結果、これらのうちの１本のファスナーチェーン２０の振動により、全てのファスナーチェーン２０が完全に咬合しているか否かを確認可能になり、他のファスナーチェーンは、袋本体３０を密閉させるために使用されることになる。
【００２６】
ファスナーチェーン２０の咬合過程において、鮮明に感知可能な振動を得るために、複数の咬合孔２２２の間隔ｄ２は４．８ｍｍ〜５．７ｍｍである。咬合孔２２２自身は、ファスナーチェーン２０の長さ方向に沿って、１．４０ｍｍ〜１．５５ｍｍの長さｄ１を有する。咬合孔２２２間の距離ｄ２が短すぎ又は長すぎると、咬合過程における振動の幅が小さすぎることになりうる。その結果、振動を鮮明に感知することができなくなる。
【００２７】
図６に示すように、メスチェーン２２における咬合孔２２２と、オスチェーン２１における咬合凸部２１２とは、２本の平行するプレスシート４１が、メスチェーン２２の位置する、袋本体の外側から、ファスナーチェーン２０へ押圧することによって形成されている。具体的には、オスチェーン２１とメスチェーン２２とが咬合する場合には、プレスシート４１を用いてファスナーチェーン２０の裏面（即ち、メスチェーン２２の位置する、袋本体３０の外側）を押圧することにより、１回の押圧で、オスチェーン２１とメスチェーン２２とのそれぞれにおいて、咬合凸部２１２と咬合孔２２２とが形成される。
【００２８】
特に、上記プレスシート４１がファスナーチェーン２０（長さ方向）に対して垂直である。プレスシート４１が、円柱型ロールの表面に配置可能であり、当該ロールの表面には、複数セットのプレスシート４１が設けられ（各セットのプレスシートは、２つのプレスシート４１を含み）、ロールが回転することにより、プレスシート４１がファスナーチェーン２０においてプレスをかけることで均一に分布する咬合凸部２１２と咬合孔２２２とを形成する。
【００２９】
袋本体３０を開放させるために、最も上におけるファスナーチェーン２０の袋本体３０の一方側の内面において、第１の凸条が設けられており、第１の凸条と、ファスナーチェーン２０とが平行であるため、袋本体３０がくっつくことを回避することができる。また、最も上におけるファスナーチェーン２０の上における袋本体３０の外側において、第２の凸条２５が設けられ、第２の凸条２５とファスナーチェーン２０とが平行に設けられている。これにより、当該袋本体３０の摩擦力を向上させることで、袋本体を開放させる際に滑ってしまうことを回避することができる。
【００３０】
上述したことは、本考案の好適な実施形態である。当業者にとって、本考案の趣旨から逸脱しない前提において行われた改良及び修飾はいずれも、本考案の範囲内に属すると理解すべきである。
【図１】
0003208363.tif 000003
【図２】
0003208363.tif 000004
【図３】
0003208363.tif 000005
【図４】
0003208363.tif 000006
【図５】
0003208363.tif 000007
【図６】
0003208363.tif 000008